【手続補正書】
【提出日】平成19年8月3日(2007.8.3)
【手続補正１】
【補正対象書類名】特許請求の範囲
【補正対象項目名】全文
【補正方法】変更
【補正の内容】
【特許請求の範囲】
【請求項１】
横方向に延在した縁部を有する掘削器具から前方に延在するようにされた掘削歯であって、長手方向の中心線を画成しており、切開縁部がそれに亘って延在している前方端部分と、前記掘削器具の縁部に装着するような形状とされた後方端部分とを有し、更に対向する側面をその間に有している上側と下側の角度をつけて拡散する面を含む掘削歯において、該掘削歯が更にその歯の各側面から横方向外方に突出する翼を含み、前記翼の各々は前記掘削歯の前方端部分に亘って延在する切開縁部とほぼ平行の方向に各々延在する上側および下側の平坦な面を有しており、各翼の前記上面が前記掘削歯の上面に対して平面関係以外の関係で配置されており、各翼が横方向に広くされた後部分と、横方向に狭くされた前部分と、それらの間を延在し、前記掘削歯に次第に広がる地面を破砕する区画を具備させる外縁部とを有することによって前記掘削器具の縁部に対して顕著な対磨耗保護性を提供することを特徴とする掘削歯。
【請求項２】
前記掘削器具の横方向に延在する縁部から延在するアダプタの鼻部分の長さ方向部分を受け入れかつ収納する盲空洞が前記後方端部分に形成されていることを特徴とする請求項１に記載の掘削歯。
【請求項３】
軸線を有する孔を更に画成しており、前記孔が、前記掘削歯と前記アダプタとを作業可能な組み合わせに取り外し可能に固定するために使用される保持装置の少なくとも一部を収納するように前記歯によって画成された前記盲空洞に対して開放していることを特徴とする請求項２に記載の掘削歯。
【請求項４】
各翼の前記の平坦な上面と下面との一方に対して開放している溝であって、相互に対して、かつ前記孔の軸線に対してほぼ一直線上に配置されている溝を前記掘削歯の各翼が画成し、前記保持装置を収納し、前記孔によって画成された軸線に対して該保持装置を整合させることを特徴とする請求項３に記載の掘削歯。
【請求項５】
前記アダプタと掘削歯とを相互に対して作業可能な組み合わせに取り外し可能に固定する前記保持装置が細長い撓みピン式保持具を含み、前記孔に対して近接関係で配置されている前記掘削歯の領域が、前記撓みピンが前記掘削歯とアダプタとを作業可能な組み合わせに保つ位置に挿入されるにつれて前記撓みピンの端部に半径方向の圧縮を加えるような形状とされていることを特徴とする請求項３に記載の掘削歯。
【請求項６】
前記孔に対して近接関係で配置されている前記掘削歯の領域が前記アダプタあるいは掘削歯に対して前記保持装置が偶発的に軸線方向に移動するのを阻止するような形状とされていることを特徴とする請求項３に記載の掘削歯。
【請求項７】
横方向に延在する縁部を有する掘削器具から前方に延在するようにされた細長い掘削歯であって、該掘削歯が中心軸線を画成し、横方向の切開縁部を備えた前方端部分と前記掘削器具の横方向に延在する縁部に装着するように構成された後方端部分とを有し、その間に対向する側面を有している上側と下側の角度をつけて拡散している面を更に含む掘削歯において、更に該歯の一方の側の領域から全体的に水平方向および横方向外方に突出する翼構造を含み、前記翼構造は全体的に水平の上面と下面とを有し、かつ前記翼構造の上面は前記掘削工具の上面に対して平面関係以外の関係で配置されており、前記翼構造が横方向に広くされた後部分と、横方向に狭くされた前部分と、それらの間を延在し、前記歯の中心軸線に向かって収斂している外縁部とを有することによって、前記掘削器具の横方向に延在する縁部の地面進入を助長する広くされた地面進入区画を前記掘削歯に具備させることを特徴とする細長い掘削歯。
【請求項８】
前記翼構造が前記中心軸線に対してほぼ対称関係で前記歯に配置されていることによって前記歯が前記中心軸線の周りで反転しうるようにしていることを特徴とする請求項７に記載の細長い掘削歯。
【請求項９】
第二の翼構造が前記歯の反対側の領域に設けられ、かつ該領域からほぼ水平方向、横方向外方に突出しており、前記第二の翼構造は全体的に水平の上面と下面とを有し、かつ前記第二の翼構造の上面は前記掘削歯の上面に対して平面関係以外の関係で配置されており、前記第二の翼構造は横方向に広くされた後部分と、横方向に狭くされた前部分と、それらの間を延在し、前記歯の中心軸線に向かって収斂している外縁部とを有することによって、前記掘削器具の横方向に延在した縁部の地面進入を助長する広くされた地面進入区画を前記掘削歯に具備させることを特徴とする請求項７に記載の細長い掘削歯。
【請求項１０】
前記第二の翼構造が前記歯の上面と下面との間の中間に近接した前記歯の一方の側の領域から延在していることを特徴とする請求項９に記載の細長い掘削歯。
【請求項１１】
前記掘削歯の後方端部分が前記掘削器具の横方向に延在する縁部から延在するアダプタの鼻部分の長さ方向の部分を受け入れ、かつ収納する盲空洞を備えた形状とされていることを特徴とする請求項７に記載の細長い掘削歯。
【請求項１２】
前記歯と前記アダプタとを作業可能な組み合わせに取り外し可能に固定するために使用される保持装置の少なくとも長さ方向の一部を収納するよう前記歯によって画成された前記盲空洞に対して開放している孔を更に含むことを特徴とする請求項１１に記載の細長い掘削歯。
【請求項１３】
掘削器具に装着するようにされ、前記掘削器具に掘削歯が装着された後その掘削歯の後方に配置される磨耗性要素を有している地面食い込み歯であって、中心軸線を画成し、横方向に亘って延在する切開縁部を備えた前方端部分と、後方端部分と、それらの間に対向する側面を有する上側と下側との角度をつけて拡散する面とを有する地面食い込み歯において、該歯が、その歯の残りの部分と一体に形成され、前記後方端部分と前方端部分との間の前記歯の少なくとも一方の面から離れる方向に、かつそれに沿って長手方向に延在する自由端で終わる翼が設けられており、前記の前方および後方部分の間の前記翼の外縁部が中心軸線に向かって収斂し、最初の地面進入に続いて前記翼の外縁部が前記歯が通過する地面を最初に破壊するように配置されることによって前記掘削歯の後方に配置された磨耗性要素の磨耗を低減させるように、前記翼の前方部分よりも前記翼の後方部分の方が前記歯の少なくとも一方の面からより大きな距離を離れる方向に延在していることを特徴とする地面食い込み歯。
【請求項１４】
前記翼が前記歯の上面から離れる方向に、かつ前記歯の前方端に亘って横方向に延在する前記切開縁部に対して全体的に直角に延在することを特徴とする請求項１３に記載の地面食い込み歯。
【請求項１５】
前記翼が前記歯の一方の面に対して、他方の面よりもより近接して配置されるように前記歯の上面に対して横方向にずれていることを特徴とする請求項１３に記載の地面食い込み歯。
【請求項１６】
前記翼が前記歯の中心軸線に対してほぼ対称的に配置されることによって前記歯が前記中心軸線の周りで反転しうるようにすることを特徴とする請求項１３に記載の地面食い込み歯。
【請求項１７】
前記歯の後方端部分が、前記掘削器具の横方向に延在する縁部から延在しているアダプタの鼻部分の長さ方向部分を受け入れ、かつ収納するよう、前記歯の後部に対して開放している盲空洞を画成していることを特徴とする請求項１３に記載の地面食い込み歯。
【請求項１８】
前記翼が前記歯の一方の側面から横方向外方に延在した上側および下側のほぼ平行な面を有し、前記翼の上面および下面が前記歯の上面および下面の間で、かつそれらに対して平面関係以外の関係で配置されていることを特徴とする請求項１７に記載の地面食い込み歯。
【請求項１９】
他方の自由端で終わる翼の鏡面対称として構成され、下側および上側のほぼ平坦な面を有する第二の自由端で終わる翼を含み、前記第二の自由端で終わる翼が前記歯の他方の側面から横方向外方に延在することを特徴とする請求項１８に記載の地面食い込み歯。
【請求項２０】
前記歯が更に、該歯の中心軸線に対してほぼ直角に延在する軸線を有している孔を画成しており、前記孔は前記歯とアダプタとを相互に対して作業可能な組み合わせに取り外し可能に固定するために使用される保持装置の少なくとも長さ方向の部分を収納するために前記歯によって画成された前記盲空洞に対して開放していることを特徴とする請求項１９に記載の地面食い込み歯。
【請求項２１】
前記歯にある各翼の全体的に平坦な前記上面が更に、前記保持装置を収納し、それを前記孔に整合させるために前記孔の軸線とほぼ一直線上に配置されている上部開放の溝を画成していることを特徴とする請求項２０に記載の地面食い込み歯。
【請求項２２】
前記歯によって画成されている前記孔に対して近接関係で配置された前記歯の領域が前記アダプタあるいは歯に対して前記保持装置が偶発的に軸線方向に移動するのを阻止するような形状とされていることを特徴とする請求項２０に記載の地面食い込み歯。
【請求項２３】
掘削器具に装着するようにされ、前記掘削器具に掘削歯が装着された後、その掘削歯の後方に配置される磨耗性要素を有している地面食い込み歯であって、中心軸線を画成しており、横方向にそれに亘って延在した切開縁部を備えている前方端部分と、後方端部分と、それらの間で対向する側面を有する上側および下側の角度をつけて拡散している面とを有している地面食い込み歯において、前記歯には前記歯の一方の面の少なくとも長さ方向の部分から離れる方向に、かつ長手方向に延在している第一の翼であって、該翼の長さ方向の部分は前記歯の前方端部分と後方端部分との間の長さよりも短い長さを有している第一の翼と、前記第一の翼の後方で、かつそれと長手方向でほぼ一直線上に前記歯の少なくとも一方の面から延在している第二の翼とが設けられており、前記第一と第二の翼の各々は外縁部を有し、前記第一と第二の翼は相互に組み合わされて前記歯が通過する地面を破砕するような形状とされることによって前記掘削歯の後方に配置した磨耗性要素の磨耗を低減することを特徴とする地面食い込み歯。
【請求項２４】
前記掘削歯の後方端部分が、前記掘削器具の先端縁部から前方に延在しているアダプタの鼻部分の長さ方向部分を受け入れかつ収納するよう、前記歯の後端部分に対して開放している盲空洞を画成していることを特徴とする請求項２３に記載の地面食い込み歯。
【請求項２５】
前記の少なくとも一方の面に対して反対側の関係で配置された前記歯の別の面から延在している第三と第四の翼を更に含み、前記第三と第四の翼がそれぞれ前記第一と第二の翼の鏡面対称として形成されていることを特徴とする請求項２３に記載の地面食い込み歯。
【請求項２６】
バケットの横方向に延在する縁部に固定するようにされた二部分からなる掘削歯組立体のための細長い掘削歯であって、中心軸線を画成し、横方向にそれに亘って延在した切開縁部を備えた前端部と、前記バケットの横方向に延在した縁部から前方に延在しているアダプタの鼻部分を受け入れ、かつ収納するようそれに対して開放している盲空洞を有している後端部とを有し、前記歯と前記アダプタとはそれぞれ、前記掘削歯とアダプタとが結合された後相互に整合して配置される孔を形成し、保持装置が少なくとも部分的に前記孔を通過できるようにすることによって前記歯と前記アダプタとを相互に対して作業可能な組み合わせに保持することを可能とし、前記歯によって画成された孔は前記歯の中心軸線に対してほぼ直角に延在する軸線を画成し、前記掘削歯は更に、前記掘削歯の後方端から切開縁部に向かって前方および下方に延在している上面と、前記掘削歯の後方端から切開縁部まで前方および上方に延在している下面とを含み、前記掘削歯は更に、前記歯の一方の側にある領域から横方向外方へ延在している全体的に水平方向の翼を含み、前記翼はほぼ平行で、かつ水平の上面と下面とを有し、前記翼は前記歯の孔によって画成された軸線の前方に配置された横方向に広くされた後部分と、前記翼の横方向に広げられた後部分から前方に延在し、前記歯の中心軸線に向かって収斂する外縁部とを有することによって前記掘削歯に前記バケットの縁部の地面進入を助長する次第に広げられた地面進入区画を具備させることを特徴とする二部分からなる掘削歯組立体のための細長い掘削歯。
【請求項２７】
前記翼が前記中心軸線に対してほぼ対称の関係で前記歯に配置されることによって前記歯が前記中心軸線の周りで反転しうるようにすることを特徴とする請求項２６に記載の細長い掘削歯。
【請求項２８】
バケットの横方向に延在する縁部に固定するようにされた二部分からなる掘削歯組立体のための細長い掘削歯であって、中心軸線を画成し、横方にそれに亘って延在する切開縁部を備えた前端部と、前記バケットの横方向に延在する縁部から前方に延在するアダプタの鼻部分を受け入れ、かつ収納するための、それに対して開放している盲空洞を有する後端部とを有し、前記歯と前記アダプタとは各々、前記掘削歯とアダプタとが接合された後相互に対して整合して配置される孔を画成し、保持装置が少なくとも部分的に前記孔を通過することによって前記歯とアダプタとを作業可能な組み合わせに保持することを可能とし、前記歯によって画成された前記孔が前記歯の中心軸線に対してほぼ直角に延在する軸線を画成し、前記掘削歯は更に前記掘削歯の後方端から切開縁部に向かって前方および下方に延在する上面と、前記掘削歯の後方端から切開縁部に向かって前方および上方に延在する下面とを含み、前記掘削歯は更に前記歯の一方の側の領域から横方向外方に延在するほぼ水平の翼を含み、前記翼は上面と下面とを有し、前記水平の翼の上面は前記掘削歯の上面に対して平面関係以外の関係で配置され、前記翼は前記歯の孔によって画成された軸線と前記歯の後端部との後方に配置されていることによって、前記バケットの縁部の地面進入を助長する次第に広くされた地面進入区画を前記掘削歯に具備させることを特徴とする二部分からなる掘削歯組立体用の細長い掘削歯。